(57)【要約】  本発明は、複数のカッターを包含してなるカッターフレームであって、前記複数のカッターが、予め決められた傾斜で、長方形形状のベース材料から比較的小さなサイズを有する１種類以上の長方形形状の単位断片を切断するためのものであり、前記複数のカッターが、前記カッターフレーム中に取り付けられ、又は形成され、前記複数のカッターが、前記長方形形状の単位断片に対応するものであり、前記複数のカッターが、前記カッターフレーム中に、前記長方形形状の単位断片の配列構造で取り付けられ、又は形成されてなり、前記配列構造において、各側部で互いに隣接する前記長方形形状の単位断片が、頂点の合致比率が５０％未満と一致するものである、カッターフレームを開示する。
2010537842.tif 000002
【特許請求の範囲】
【請求項１】
複数のカッターを包含してなるカッターフレームであって、
前記複数のカッターが、予め決められた傾斜で、長方形形状のベース材料から比較的小さなサイズを有する１種類以上の長方形形状の単位断片を切断するためのものであり、
前記複数のカッターが、前記カッターフレーム中に取り付けられ、又は形成され、前記複数のカッターが、前記長方形形状の単位断片に対応するものであり、
前記複数のカッターが、前記カッターフレーム中に、前記長方形形状の単位断片の配列構造で取り付けられ、又は形成されてなり、
前記配列構造において、各側部で互いに隣接する前記長方形形状の単位断片が、５０％未満と一致する頂点の合致比率を有するものである、カッターフレーム。
【請求項２】
前記１種類以上の長方形形状の単位断片が切断された場合、前記頂点の合致比率が０％である、カッターフレーム。
【請求項３】
前記隣接する頂点の非合致が、
前記長方形形状の単位断片における配列座標構造において、一の長方形形状の単位断片（Ａ）におけるｘ値及びｙ値（Ａｘ、Ａｙ）が、一方の側部において長方形形状の単位断片（Ａ）に隣接する他方の長方形形状の単位断片（Ｂ）のｘ値及びｙ値（Ｂｘ、Ｂｙ）から、前記ベース材料の有効幅の０．５％以上と一致する偏差を有するものである、カッターフレーム。
【請求項４】
前記ベース材料が、予め決められた幅及び比較的非常に長い長さを有する連続的な材料である、請求項１又は２に記載のカッターフレーム。
【請求項５】
前記長方形形状の単位断片が、２０〜７０度の角度に傾斜している、請求項１に記載のカッターフレーム。
【請求項６】
前記ベース材料が、縦方向または横方向における光または電磁波の特定方向の波動だけを吸収するか、または透過させる層（吸収層または透過層）を包含するフィルムであり、かつ、
前記ベース材料から切断される前記長方形形状の単位断片のそれぞれが、比較的小さなサイズのフィルムであり、前記フィルムの吸収層または透過層が４５度の角度で傾斜してなる、請求項１に記載のカッターフレーム。
【請求項７】
前記カッターのそれぞれが、切断用のナイフまたは切断用の光源である、請求項１に記載のカッターフレーム。
【請求項８】
前記ベース材料の縦方向（Ｘ−軸方向：横方向）に配置された、前記長方形形状の単位断片の全てが配置され、前記長方形形状の単位断片の上端末端の高さと同一である、請求項１に記載のカッターフレーム。
【請求項９】
前記長方形形状の単位断片が配置され、前記カッターフレームの下端末端からの高さにおいて、最左側末端の前記長方形形状の単位断片と最右側末端の前記長方形形状の単位断片間の距離が前記高さに関係なく同一である、請求項８に記載のカッターフレーム。
【請求項１０】
前記カッターフレームが、前記長方形形状の左境界形状が、前記長方形形状の右境界形状と合致するように、構築されてなる、請求項９に記載のカッターフレーム。
【請求項１１】
予め決められた傾斜で、ベース材料から一種類以上の長方形形状の単位断片を切断した後に得られるスクラップであって、
前記長方形形状の単位断片に対応する複数の孔が、切断余地により連続的に互いに接続され、かつ、
前記長方形形状の単位断片の孔が配置され、前記長方形形状の単位断片の孔の各側部に対応する切断余地を伴った互いに隣接する前記長方形形状の単位断片の孔が、５０％未満と一致する頂点の合致比率を有するものである、スクラップ。
【発明の詳細な説明】
【発明の分野】
【０００１】
本発明は、切断損失比が低いカッターフレームに関し、より詳しくは、複数のカッターを包含してなるカッターフレームであって、前記複数のカッターが、予め決められた傾斜で、長方形形状の（ｒｅｃｔａｎｇｕｌａｒ：長方形の形をした、長方形形態の）ベース材料から比較的小さなサイズを有する１種類以上の長方形形状の単位断片を切断するためのものであり、前記複数のカッターが、前記カッターフレーム中に取り付けられ、又は形成され、前記複数のカッターが、前記長方形形状の単位断片に対応するものであり、前記複数のカッターが、前記カッターフレーム中に、前記長方形形状の単位断片の配列構造で取り付けられ、又は形成されてなり、前記配列構造において、各側部で互いに隣接する前記長方形形状の単位断片が、５０％未満と一致する頂点の合致比率を有するものである、カッターフレームに関する。
【発明の背景】
【０００２】
比較的大きなサイズを有する長方形形状のベース材料を切断し、複数の、比較的小さなサイズを有する長方形形状の単位断片を製造する技術は、様々な分野で採用されている。例えば、予め決められた幅及び長い長さを有するベース材料シートを、カッターフレームにより繰り返し切断し、複数の長方形形状の単位断片を同時に、１回の切断工程を通じて製造する。
【０００３】
他方、ベース材料のサイズ（幅）は規定されているのに対し、長方形形状の単位断片のサイズは、様々なファクター、例えばベース材料供給者の制限、製造方法の効率観点、長方形形状の単位断片の需要変動等のために、必要に応じて変化することがある。この場合、ベース材料のサイズに基づいて複数の所望の長方形形状の単位断片を切断する場合、切断効率は、カッターフレームがどの構造に構築されているか、すなわち長方形形状の単位断片をベース材料から切断するためのカッターがどの構造に配置されているか、に応じて大きく変動する。切断効率が低いと、切断工程の後に廃棄されることになる、ベース材料から製造されたスクラップの量が増加し、その結果、長方形形状の単位断片の製造コストが増加する。
【０００４】
ベース材料のサイズ（幅及び長さ）が、特定の長方形形状の単位断片のサイズ（横方向の長さ及び縦方向の長さ）に対して一定の比率にある場合、長方形形状の単位断片が、そのような一定比率を有する位置で互いに接触するように、長方形形状の単位断片を連続的に配置することにより、切断損失を最少に抑えることができる。しかし、そのような一定比率が形成されない場合、切断損失は、長方形形状の単位断片の配列構造に応じて変動する場合がある。
【０００５】
さらに、長方形形状の単位断片をベース材料の縦方向に対して予め決められた角度で切断する場合、必然的に大量のスクラップが発生する。
【０００６】
長方形形状の単位断片を予め決められた角度で切断するために、一般的に、カッター（例えばナイフ）に対応する長方形形状の単位断片が互いに隣接するように、カッターがカッターフレーム上に配置される配列構造が使用される。
【０００７】
この問題に関して、図１及び２は、長方形形状の単位断片がベース材料上に配置され、長方形形状の単位断片に対応するカッターを構築する、従来のカッターフレームを典型的に例示する。説明の都合上、予め決められた長さを有するベース材料を例示する。
【０００８】
これらの図に関して、複数の望ましい長方形形状の単位断片２０が、予め決められた幅及び大きな長さを有するベース材料シート１０から切断される。カッターフレーム３０中には、複数の、長方形形状の単位断片２０に対応するカッター３２が配置されている。従って、長方形形状の単位断片２０の配列構造は、カッター３２の配列構造と実質的に等しい。
【０００９】
カッター３２は、カッター３２が予め決められた数（図１では６、図２では８）の長方形形状の単位断片２０を１回の切断工程で切断できるように、カッターフレーム３０中に取り付けられるか、または形成される。従って、ベース材料シート１０がカッターフレーム３０により切断され、次いで、そのベース材料１０は、ベース材料シート１０が、ベース材料シート１０の縦方向で予め決められた長さｓだけ重なり合った状態で、カッターフレーム３０により再度切断される。このようにして、一連の切断工程が行われる。
【００１０】
各長方形形状の単位断片２０は、各長方形形状の単位断片２０の縦方向側部ａが、各長方形形状の単位断片２０の横方向側部ｂより長い長方形形状の構造に構築されている。また、各長方形形状の単位断片２０は、ベース材料シート１０の縦方向に対して約４５度の角度αで傾斜している。傾斜した長方形形状の単位断片２０がベース材料シート１０上に配置される場合、図１及び２に示すような、２種類の長方形形状の単位断片配列構造を考えることができる。
【００１１】
第一の長方形形状の単位断片配列構造は、図１に示すように、それぞれの長方形形状の単位断片の横方向側部ｂが互いに一致するように、長方形形状の単位断片を連続的に配置する。この配列構造により、有効幅Ｗ及び長さＬを有するベース材料シート１０から、合計２４個の長方形形状の単位断片２０を切断することができる。しかし、ベース材料シート１０の有効幅Ｗから逸脱した位置に配置された長方形形状の単位断片２１は切断することができない。
【００１２】
この配列構造では、ベース材料シート１０の、有効幅Ｗではない、切断幅Ｄだけが実質的に使用され、従って、残りの幅Ｗ−Ｄは、スクラップとして廃棄される。長方形形状の単位断片２０は角度約４５度で傾斜しているので、ベース材料シート１０の上端末端区域でも必然的にスクラップが発生する。
【００１３】
第二の長方形形状の単位断片配列構造は、図２に示すように、それぞれの長方形形状の単位断片の縦方向側部ａが互いに一致するように、長方形形状の単位断片を連続的に配置する。この配列構造により、有効幅Ｗ及び長さＬを有するベース材料シート１０から、合計１９個の長方形形状の単位断片２０を切断することができる。
【００１４】
上記の説明を考えると、切断効率は、長方形形状の単位断片の配列構造によって異なることが分かる。しかし、長方形形状の単位断片を、ベース材料シートに対して特定の角度で傾斜させる場合、長方形形状の単位断片を様々な配列構造に配置することは困難である。この理由から、従来技術では、図１または２に示すように、長方形形状の単位断片の特定の側部（縦方向側部または横方向側部）が互いに一致している構造にある、長方形形状の単位断片の配列構造だけが主として考えられる。
【００１５】
従って、図１及び２に示す長方形形状の単位断片の配列構造の切断効率よりも高い切断効率を有する長方形形状の単位断片の配列構造があれば、切断損失を低減させ、究極的に製品の製造コストを低減させることができる。切断効率を改良することは、特にベース材料の価格が高くなり、及び／または長方形形状の単位断片を大規模に製造する場合に、益々重要になる。
【発明の概要】
【００１６】
従って、本発明は、上記の問題及び他の未解決の技術的問題を解決するためになされたものである。
【００１７】
カッターフレームに関する様々な広範囲で集中的な研究及び実験の結果、本発明者らは、カッターがそれぞれの長方形形状の単位断片に対応するように、カッターを、以下に詳細に説明する特殊な長方形形状の単位断片配列構造に形成した場合、従来の長方形形状の単位断片配列構造と比較して、切断損失比を低くすることができることを見出した。本発明は、これらの知見に基づいて完成されたものである。
【００１８】
具体的には、本発明の目的は、比較的大きなサイズを有する長方形形状のベース材料の縦方向に対して予め決められた角度で傾斜した複数の長方形形状の単位断片を、その長方形形状のベース材料から切断する時に、低い切断損失比を示すように形成されたカッターを包含するカッターフレームを提供することである。
【００１９】
本発明の別の目的は、上記の低い切断損失比を示す、長方形形状の単位断片の配列構造中に配置された長方形形状の単位断片に対応する孔を有するスクラップを提供することである。
【００２０】
本発明の一態様により、上記の、及び他の目的は、複数のカッターを包含してなるカッターフレームであって、前記複数のカッターが、予め決められた傾斜で、長方形形状のベース材料から比較的小さなサイズを有する１種類以上の長方形形状の単位断片を切断するためのものであり、前記複数のカッターが、前記カッターフレーム中に取り付けられ、又は形成され、前記複数のカッターが、前記長方形形状の単位断片に対応するものであり、前記複数のカッターが、前記カッターフレーム中に、前記長方形形状の単位断片の配列構造で取り付けられ、又は形成されてなり、前記配列構造において、各側部で互いに隣接する前記長方形形状の単位断片が、５０％未満と一致する頂点の合致比率を有するものである、カッターフレームを提供することにより、達成される。
【００２１】
従って、本発明によるカッターフレームは、前記長方形形状の単位断片が、図１及び図２に示された互いに隣接して配置されるが、一の長方形形状の単位断片の一の側部が、他の長方形形状の単位断片における対応する側部と、幾分補正されるが、完全に合致しないものである。前記長方形形状の単位断片の特徴的な配列構造により、島状の残部が隣接する４つの長方形形状の単位断片間に形成されてなる。
【００２２】
この長方形形状の単位断片における配列構造はこのカッターがベース基材に配置され、傾斜した長方形形状の単位断片を切断する際に、一般的に容易に熟考することができる構造ではない。しかしながら、この長方形形状の単位断片の特徴的な配列構造は従来のカッターフレームよりも切断損失比が低い（切断効率が高い）という、我々の想像を超えたものであったことを確認した。
【００２３】
本発明によるカッターフレームは、上記で定義した長方形形状の単位断片における特徴的な配列構造により、従来のカッターフレームよりも切断損失比が低いことを示しており、その理由は、この単位断片が長方形形状に構成されてなり、かつ、長方形形状の単位断片が、ベース材料の縦方向に対する予め決められた角度に傾斜されて切断されてなることによる。
【００２４】
本発明者等は、この単位断片が四角形構造において構成され、又はこの単位断片が傾斜されることなく切断されてなるとき、切断効率は、この単位断片が互いに隣接するように配置され、その反対の側部が互いに合致する、という配列構造によってさらに改善されることを確認した。従って、本発明によるカッターフレームは、長方形形状の単位断片が予め定められた角度で傾斜されるときに、長方形形状の単位断片を切断することに使用されることが好ましい。
【００２５】
上記した、「頂点の合致比率」とは、長方形形状のベース材料に配置された、一連の長方形形状の単位断片において、一の長方形形状の単位断片の４つの頂点が、その一の長方形形状の単位断片の各側部において隣接する、他の長方形形状の単位断片の頂点と合致する際の比率（比、割合）を意味する。
【００２６】
従来技術における長方形形状の単位断片の配列構造において、各長方形形状の単位断片の四つの側部における、各長方形形状の単位断片の二つの側部は、他の二つの長方形形状の単位断片と各側部で隣接し、かつ、各長方形形状の単位断片の残る二つの側部は他の長方形形状の単位断片と各側部で隣接する。従って、従来技術によれば、各長方形形状の単位断片が隣接しうる他の長方形形状の単位断片の数は、６つ（図１参照）又は５つ（図２参照）である。この時、各長方形形状の単位断片の残る二つの側部は他の長方形形状の単位断片と各側部で隣接し、その結果、二つの長方形形状の単位断片の頂点はお互いに合致する。各長方形形状の単位断片の二つの側部が、他の二つの長方形形状の単位断片と各側部で隣接する領域において、他方、隣接する側部の反対側部の頂点は互いに合致しない。従って、頂点の合致比率は長方形形状の単位断片の配列構造における約６６％であると計算される。
【００２７】
この点を熟考してみると、長方形形状の単位断片がお互いから僅かに補正されて、本発明による長方形形状の単位断片の配列構造において、幾つかの任意の長方形形状の単位断片における各側部で、唯一の他の長方形形状の単位断片に隣接する。長方形形状の単位断片がお互いから僅かに補正されてなる、この長方形形状の単位断片の配列構造において、その各側部でお互いに隣接する各々の長方形形状の単位断片の頂点はお互いに合致しない。長方形形状の単位断片の全てが、長方形形状の単位断片の配列構造に配置される際に、頂点の合致比率は０％である。
【００２８】
本発明における本発明者等は、様々な長方形形状の単位断片の配列構造を準備し、かつ実験した所、長方形形状の単位断片を配置し、各側部で互いに隣接する前記長方形形状の単位断片が、頂点の合致比率が少なくとも５０％未満と一致するもの、即ち、頂点の非合致比率が少なくとも５０％以上と一致するものであるとき、従来の長方形形状の単位断片の配列構造によって達成されるものと比較して切断損失比が著しく減少することが可能となる。
【００２９】
従って、図１及び図２に示されるように、長方形形状の単位断片の頂点の合致比率が、従来の長方形形状の単位断片の配列構造における約６６％であるとき、本発明によるカッターフレームは、少なくとも幾つかの長方形形状の単位断片が配置され、この少なくとも幾つかの長方形形状の単位断片の頂点が、この少なくとも幾つかの長方形形状の単位断片に隣接する頂点と合致せず、かつ、頂点の合致比率が５０％未満であるときに、本発明によるカットフレームは低い切断損失比を示す。
【００３０】
好ましい態様によれば、長方形形状の単位断片が配置され、唯一一種の長方形形状の単位断片が配置されてなる配列構造において、頂点の合致比率が０％とされ、切断損失比を最も低いものとすることが可能となる。一方で、二種以上の長方形形状の単位断片を配置する際に、お互いに対する長方形形状の単位断片のサイズに於ける比率、又はベース材料に対する長方形形状の単位断片のサイズにおける比率に考慮して、長方形形状の単位断片の最適な配列構造が提案される。この長方形形状の単位断片の配列構造において、頂点の合致比率が０％とされるが、切断損失比は最も低い値を示すこととなる。
【００３１】
本発明の長方形形状の単位断片の配列構造が比較的低い切断損失比を示す理由の一つは、長方形形状の単位断片が配列され、各側部で互いに隣接する各々の長方形形状の単位断片の頂点が、お互いに合致しないことであり、これらにより、長方形形状のベース材料の幅に関係する長方形形状の単位断片の切断幅を最大にすることが可能となる、というものである。
【００３２】
本発明にあっては、頂点の合致とは、長方形形状の単位断片における配列座標構造において、一の長方形形状の単位断片（Ａ）におけるｘ値及びｙ値（Ａｘ、Ａｙ）が、一方の側部において長方形形状の単位断片（Ａ）に隣接する他の長方形形状の単位断片（Ｂ）のｘ値及びｙ値（Ｂｘ、Ｂｙ）と合致することを意味する。従って、隣接する頂点の非合致は、長方形形状の単位断片における配列座標構造において、一の長方形形状の単位断片（Ａ）におけるｘ値及びｙ値（Ａｘ、Ａｙ）が、一方の側部において長方形形状の単位断片（Ａ）に隣接する他の長方形形状の単位断片（Ｂ）のｘ値及びｙ値（Ｂｘ、Ｂｙ）と合致しないことを意味する。
しかしながら、本発明にあっては、この合致とは幾何学的にみて完全な合致を意味するものではない。従って、非合致とは、例えば、０．５％以上のべース材料の有効幅と一致し、それより僅かにずれてもよい。
【００３３】
本発明にあって、ベース材料は、１回の、または数回の切断工程を行うことが可能な分離した単一の材料であるか、または予め決められた幅及び比較的非常に大きい長さを有する連続的な材料でよい。後者は、長いベース材料シートでよい。この場合、ベース材料シートは、ローラーから繰り出し、その繰り出したベース材料シートをカッターフレームにより連続的に切断することができる。長方形形状の単位断片の製造効率及び経済的効率を考えると、ベース材料は、連続的な材料であるのが好ましい。
【００３４】
前に説明したように、全ての長方形形状の単位断片を、ベース材料の縦方向に対して予め決められた角度で傾斜した状態で、ベース材料から切断する。例えば、ベース材料の縦方向または横方向における固有の物理的特性を、長方形形状の単位断片に対して予め決められた角度で発揮させる必要がある場合、長方形形状の単位断片は、ベース材料に対して予め決められた角度で傾斜させることができる。例えば、長方形形状の単位断片は、２０〜７０度の角度に傾斜させることができる。
【００３５】
好ましい実施態様では、ベース材料は、縦方向または横方向における光または電磁波の特定方向の波動（ｗａｖｅ  ｍｏｔｉｏｎ）だけを吸収するか、または透過させる層（吸収層または透過層）を包含するフィルムであり、ベース材料から切断される長方形形状の単位断片は、比較的小さなサイズのフィルムであり、その吸収層または透過層は４５度の角度で傾斜している。
【００３６】
本発明にあっては、長方形形状の単位断片の配列構造が、カッターフレームのカッターまたはカッターの配列構造と実質的に合致する。従って、長方形形状の単位断片の配列構造は、追加の説明が無い限り、カッターまたはカッターの配列構造を意味するものと解釈される。
【００３７】
カッターの種類には、カッターがベース材料から長方形形状の単位断片を切断する構造または特性を有する限り、特に制限は無い。典型的には、カッターのそれぞれは、切断用のナイフ、例えば金属ナイフまたはジェットウオーターナイフ、もしくは切断用の光源、例えばレーザー、でよい。
【００３８】
好ましい態様によれば、ベース材料の縦方向（Ｘ−軸方向：横方向）に配置された、長方形形状の単位断片の全てが、この長方形形状の単位断片の上端末端の高さと同一である。この長方形形状の単位断片の上端末端の高さが同一のとき、例えば、長方形形状の単位断片の上端末端の高さが異なるといった条件よりも、切断された長方形形状の単位断片の上端側及び下端側間を区別する製造方法はより容易に実行され、その結果、生産性を向上させることが可能となる。
【００３９】
好ましい態様によれば、長方形形状の単位断片が配置され、カッターフレームの下端末端からの高さにおいて、最左側末端の長方形形状の単位断片と最右側末端の長方形形状の単位断片間の距離がその高さに関係なく同一である。従って、一連の繰り返しの切断工程を実行する際に、ベース材料の縦方向のスクラップの製造を最小限にすることが可能となる。
【００４０】
より好ましくは、カッターフレームが、この長方形形状の左境界形状が、この長方形形状の右境界形状と合致するように、構築されてなる。この場合、ベース材料の縦方向において、スクラップが全く製造されないので、さらに切断損失比が減少する。
【００４１】
本発明による別の態様によれば、予め決められた傾斜で、ベース材料から一種類以上の長方形形状の単位断片を切断した後に得られるスクラップが提案される。
【００４２】
特に、本発明によるスクラップは、長方形形状の単位断片に対応する複数の孔が、切断余地により連続的に互いに接続され、かつ、前記長方形形状の単位断片の孔が配置され、前記長方形形状の単位断片の孔の各側部に対応する切断余地を伴った互いに隣接する前記長方形形状の単位断片の孔が、５０％未満と一致する頂点の合致比率を有してなるものである。
【００４３】
本発明によるスクラップは、従来技術から予測されることのない、特徴的な形状を示すこととなり、従来技術よりも同じサイズのベース材料と比較して切断損失比をより低くすることを達成する。
【００４４】
本発明の上記の、及び他の目的、特徴及び利点は、添付の図面を参照しながら記載する下記の詳細な説明により、より深く理解される。
【好ましい実施態様の詳細な説明】
【００４５】
ここで、添付の図面を参照しながら、本発明の好ましい実施態様を詳細に説明する。しかし、本発明の範囲は、例示する実施態様に限定されるものではない。
【００４６】
図３は、２種類の長方形形状の単位断片がベース材料上に配置され、長方形形状の単位断片に対応するカッターを構築する、本発明の好ましい実施態様によるカッターフレームを例示する典型的な図である。
【００４７】
図３に関して、長方形形状の単位断片が配列構造において配置されており、この配列構造において、一の長方形形状の単位断片２００が、他の長方形形状の単位断片２１０及び２３０とそれらの二つの側部で隣接しているが、しかし、他の長方形形状の単位断片２２０とは隣接していない。この配列構造との比較において、図１に示す通り、一の長方形形状の単位断片が、長方形形状の単位断片の配列構造中の他の６個の長方形形状の単位断片と接触し、図２では、１個の長方形形状の単位断片が、長方形形状の単位断片の配列構造中の他の５個の長方形形状の単位断片と接触している。従って、図１及び２では、長方形形状の単位断片の幾つかの側部が、長方形形状の単位断片の配列構造中の他の２個の長方形形状の単位断片と接触している。参考のために、図３は、３つの長方形形状の単位断片２１０、２２０及び２３０だけが、長方形形状の単位断片２００の周りに配置されたもののみを例示する。
【００４８】
一方、長方形形状の単位断片２００は、頂点２０１を有してなり、対応する長方形形状の単位断片２１０及び２３０における頂点２１１及び２３１から予め定められた「偏差」（deviation：ずれ）ｄによって、間隔が開けられており、単位断片２１０及び２３０は、各長方形形状の単位断片の一の側部で長方形形状の単位断片２００に隣接している。このことは、長方形形状の単位断片２００、２１０、２２０及び２３０の全ての頂点が、お互いから偏差ｄにより間隔が開けられており、かつ、長方形形状の単位断片２００、２１０、２２０及び２３０が互いに合致する頂点を全く有していない、ということである。この場合、従って、この頂点が互いに合致する比（頂点の合致比率）は、０％である。
【００４９】
長方形形状の単位断片の配列構造において、他方で、一の長方形形状の単位断片１１における頂点は、長方形形状の単位断片１１の長手側部１２と接触して配置された他の長方形形状の単位断片１６の頂点と合致しないが、しかし、長方形形状の単位断片１１の短手側部１３と接触して配置された他の長方形形状の単位断片１８の頂点と合致する。従って、この長方形形状の単位断片の配列構造において、頂点の合致比率は、６６．６％である。
【００５０】
他方、図３において、長方形形状の単位断片は、隣接する４個の長方形形状の単位断片２００、２１０、２２０、及び２３０の間に島型残部１１０が形成されるように、配置されている（交互の長短破線により描いた円参照）。島型残部１１０は、長方形形状の単位断片２００、２１０、２２０、及び２３０のそれぞれの側部により限定されるほぼ長方形形状の残部である。この構造は、図１及び２の配列構造では全く見られない。
【００５１】
上記する長方形形状の単位断片の配列構造では、ベース材料シート１０の活用率が、図１における活用率よりも高い。好ましくは、ベース材料シート１０の有効幅Ｗは、実質的に切断幅Ｄとほとんど等しい。
【００５２】
また、島型残部１１０のサイズより小さいサイズを有する切断余地１２０は、各長方形形状の単位断片の一側部で互いに隣接する長方形形状の単位断片２００と２１０との間に位置する。従って、長方形形状の単位断片２００、２１０、２２０、及び２３０をベース材料シート１０から切断すると、それぞれの長方形形状の単位断片が、カッターフレームのカッターにより、独立した単位断片として効果的に切断される。
【００５３】
図４は、本発明の好ましい実施態様によるカッターフレームを例示する典型的な図である。記述の便宜性及び表現の簡易化の為に、図４は、一種の長方形形状の単位断片を切断したカッターの配列構造を部分的に例示したものである。
【００５４】
図４に関して、複数のカッター３１０がカッターフレーム３００に配置され、又は形成されてなる。長方形形状の単位断片が、カッター３１０の配列構造によるベース材料シートから切断されている。
【００５５】
複数のカッター３１０が配置され、右末端カッターが左末端カッターに引き続いて右末端カッターの形状が存在する際に、その右末端カッターの形状がその左末端カッターの形状に合致し、即ち、複数のカッター３１０は互いに結合する。この配列構造において、このカッターフレーム３００の下端末端から恣意的な高さｈ１とｈ２での縦方向での対向する末端カッター間の間隔距離Ｓは同一である。
【００５６】
従って、１回の切断工程による距離であるピッチＰｂは、恣意的な高さｈ１とｈ２において、対向する側部末端のカッター間の間隔距離Ｓによって定められる。このピッＰｂは、カッターフレームの長さＬｂより短い。その結果、重複領域Ｔ、即ち、カッターフレーム３００の長さＬｂからピッチＰｂの長さを差し引くことにより得られる領域が次の切断工程で使用されるので、べース材料の縦方向において適切な切断効果を達成することが可能となる。
【００５７】
また、図４においては明確には示されていないが、カッターフレーム３００の縦方向（Ｘ−軸方向：横方向）に配置された、長方形形状の単位断片の全てが配置され、この長方形形状の単位断片の上端末端の高さと同一である。この理由は、製造が長方形形状の単位断片に関して切断と同時に、又はその後に容易に実行されて、切断された長方形形状の単位断片の上端側及び下端側間を区別することになるからである。
【００５８】
図５は、本発明の好ましい実施態様によるスクラップの形状を部分的に例示する典型的な図である。
【００５９】
図５に関して、スクラップ１００ａは、複数の長方形形状の単位断片をベース材料から、図３に示すような長方形形状の単位断片の配列構造に従って切断した後に得られる。具体的には、ベース材料を、図３に示すような長方形形状の単位断片の配列構造を包含するカッターフレームにより連続的に切断する場合、長方形形状の単位断片に対応する複数の孔２００ａが、切断余地１２０ａにより連続的に互いに接続され、かつ、この長方形形状の単位断片の孔２００ａは、各長方形形状の単位断片の孔の４つの側で他の長方形形状の単位断片に隣接し、この長方形形状の単位断片の孔は、接続切断余地１２０ａにより互いから間隔が開けられる。
【００６０】
また、切断余地１２０ａより大きいサイズを有する島型残部１１０ａが、スクラップ１０２ａの隣接する４個の長方形形状の単位断片孔２００ａの間に形成される。
【産業上の利用可能性】
【００６１】
上記の説明から明らかなように、本発明によるカッターフレームは、独特で規則的な長方形形状の単位断片の配列構造により、材料の特性に応じて特別な方向が必要とされる長方形形状の単位断片をベース材料から、長方形形状の単位断片をベース材料に対して傾斜させた状態で、切断する場合に、切断損失比を最小限とする。特に、長方形形状の単位断片を大量生産する場合、高い切断効率に基づいて長方形形状の単位断片の総製造コストを大幅に下げることができる。
【００６２】
本発明の好ましい実施態様を例示のために開示したが、当業者には明らかなように、請求項に記載する本発明の範囲及び精神から離れることなく、様々な修正、追加、及び置き換えが可能である。
【図面の簡単な説明】
【００６３】
【図１】図１は、長方形形状の単位断片がベース材料上に配置され、長方形形状の単位断片に対応するカッターを構築する、従来のカッターフレームを例示する典型的な図である。
【図２】図２は、長方形形状の単位断片がベース材料上に配置され、長方形形状の単位断片に対応するカッターを構築する、従来のカッターフレームを例示する典型的な図である。
【図３】図３は、２種類の長方形形状の単位断片がベース材料上に配置され、長方形形状の単位断片に対応するカッターを構築する、本発明の好ましい実施態様によるカッターフレームを例示する典型的な図である。
【図４】図４は、本発明の好ましい実施態様によるカッターフレームを例示する典型的な図である。
【図５】図５は、本発明の好ましい実施態様によるスクラップの形状を部分的に例示する典型的な図である。
【図１】
2010537842.tif 000003
【図２】
2010537842.tif 000004
【図３】
2010537842.tif 000005
【図４】
2010537842.tif 000006
【図５】
2010537842.tif 000007
【国際調査報告】
2010537842.tif 000008
2010537842.tif 000009